(57)【要約】【課題】紙文書に記入された回答を得る手間を軽減する。【解決手段】画像処理装置１０は、１又は複数の質問及び当該各質問に対する回答欄と、予め定められた１又は複数の色を用いて加筆された色加筆領域とを含む文書を取得し、取得された文書に含まれる色加筆領域に基づいて、文書の回答読み取り領域を設定し、設定される回答読み取り領域から得られる回答の種類を、当該回答読み取り領域に対応する色加筆領域の色、又は当該色加筆領域と他の色加筆領域との関係、又はこれらの組み合わせに応じて判定する。【選択図】図１
2010122911.tif 000002
【特許請求の範囲】
【請求項１】
１又は複数の質問及び当該各質問に対する回答欄と、予め定められた１又は複数の色を用いて加筆された色加筆領域とを含む文書を取得する取得手段と、
前記取得手段により取得された文書に含まれる色加筆領域に基づいて、前記文書の回答読み取り領域を設定する設定手段と、
前記設定手段により設定される回答読み取り領域から得られる回答の種類を、当該回答読み取り領域に対応する色加筆領域の色、又は当該色加筆領域と他の色加筆領域との関係、又はこれらの組み合わせに応じて判定する判定手段と、を含む
ことを特徴とする画像処理装置。
【請求項２】
前記回答の種類は、選択肢から回答する選択式回答と、文字列を記入して回答する記入式回答とを含む
ことを特徴とする請求項１に記載の画像処理装置。
【請求項３】
前記回答の種類毎に予め定められた色が関連づけられ、
前記判定手段は、前記回答読み取り領域に対応する色加筆領域の色に関連づけられた回答の種類を、当該回答読み取り領域から得られる回答の種類と判定する
ことを特徴とする請求項１又は２に記載の画像処理装置。
【請求項４】
前記色加筆領域と他の色加筆領域との関係は、前記色加筆領域と他の色加筆領域との連結関係又は包含関係の少なくとも一方を含む
ことを特徴とする請求項１乃至３のいずれかに記載の画像処理装置。
【請求項５】
前記判定手段は、前記色加筆領域と他の色加筆領域とが連結されている場合に、当該各色加筆領域に基づいて設定される各回答読み取り領域を同じ質問に対する回答であると判定する
ことを特徴とする請求項４に記載の画像処理装置。
【請求項６】
前記判定手段は、１の色加筆領域に複数の色加筆領域が包含されている場合に、当該複数の色加筆領域に基づいて設定される各回答読み取り領域を同じ質問に対する回答であると判定する
ことを特徴とする請求項４に記載の画像処理装置。
【請求項７】
前記判定手段は、複数の色加筆領域が予め定められた距離内にある場合に、当該複数の色加筆領域に基づいて設定される各回答読み取り領域を同じ質問に対する回答であると判定する
ことを特徴とする請求項１乃至６のいずれかに記載の画像処理装置。
【請求項８】
前記設定手段は、前記色加筆領域と少なくとも一部が重なる連結画素群に基づく領域を前記文書の回答読み取り領域に設定する
ことを特徴とする請求項１乃至７のいずれかに記載の画像処理装置。
【請求項９】
前記１又は複数の質問及び当該各質問に対する回答欄に回答が記入された回答文書を取得する回答文書取得手段と、
前記設定手段により設定された回答読み取り領域、及び前記判定手段により判定された当該回答読み取り領域から得られる回答の種類に基づいて、前記回答文書取得手段により取得された回答文書から、前記各質問に対する回答情報を取得する回答情報取得手段と、をさらに含む
ことを特徴とする請求項１乃至８のいずれかに記載の画像処理装置。
【請求項１０】
前記回答文書取得手段は、１又は複数の回答文書を取得し、
前記回答情報取得手段は、前記各回答文書について回答情報を取得し、
前記回答情報取得手段により取得した回答情報に基づいて回答結果を生成する手段をさらに含む
ことを特徴とする請求項９に記載の画像処理装置。
【請求項１１】
前記設定手段により設定された回答読み取り領域を、当該回答読み取り領域の識別情報と共に表した画像を生成する手段をさらに含む
ことを特徴とする請求項１乃至１０のいずれかに記載の画像処理装置。
【請求項１２】
１又は複数の質問及び当該各質問に対する回答欄と、予め定められた１又は複数の色を用いて加筆された色加筆領域とを含む文書を取得する取得手段と、
前記取得手段により取得された文書に含まれる色加筆領域に基づいて、前記文書の回答読み取り領域を設定する設定手段と、
前記設定手段により設定される回答読み取り領域から得られる回答の種類を、当該回答読み取り領域に応じた色加筆領域の色、又は当該色加筆領域と他の色加筆領域との関係、又はこれらの組み合わせに応じて判定する判定手段としてコンピュータを機能させることを特徴とするプログラム。
【発明の詳細な説明】
【技術分野】
【０００１】
本発明は、画像処理装置及びプログラムに関する。
【背景技術】
【０００２】
アンケート用紙に記入された回答の集計を手作業で行うことは手間であるため、アンケート用紙の回答の集計を機械化することが望まれている。そこで、下記の特許文献１に記載されているように、文書に加筆された部分を機械的に抽出することで、アンケート用紙から回答を集計する手間をある程度解消しているものがある。アンケートの回答は、選択式の回答であったり、自由記入式の回答であったりと、回答欄にどのような種類の回答がなされるのかが分からないと、単純に文書から画像や文字列を抽出するだけでは有意な情報を得られず、アンケートの集計を自動化できない。
【特許文献１】特開２００４−２１３２３０号公報
【発明の開示】
【発明が解決しようとする課題】
【０００３】
本発明の目的の一つは、紙文書に記入された回答を得る手間を軽減した画像処理装置及びプログラムを提供することにある。
【課題を解決するための手段】
【０００４】
上記目的を達成するために、請求項１に記載の画像処理装置の発明は、１又は複数の質問及び当該各質問に対する回答欄と、予め定められた１又は複数の色を用いて加筆された色加筆領域とを含む文書を取得する取得手段と、前記取得手段により取得された文書に含まれる色加筆領域に基づいて、前記文書の回答読み取り領域を設定する設定手段と、前記設定手段により設定される回答読み取り領域から得られる回答の種類を、当該回答読み取り領域に対応する色加筆領域の色、又は当該色加筆領域と他の色加筆領域との関係、又はこれらの組み合わせに応じて判定する判定手段と、を含むことを特徴とする。
【０００５】
また、請求項２に記載の発明は、請求項１に記載の画像処理装置において、前記回答の種類は、選択肢から回答する選択式回答と、文字列を記入して回答する記入式回答とを含むことを特徴とする。
【０００６】
また、請求項３に記載の発明は、請求項１又は２に記載の画像処理装置において、前記回答の種類毎に予め定められた色が関連づけられ、前記判定手段は、前記回答読み取り領域に対応する色加筆領域の色に関連づけられた回答の種類を、当該回答読み取り領域から得られる回答の種類と判定することを特徴とする。
【０００７】
また、請求項４に記載の発明は、請求項１乃至３のいずれかに記載の画像処理装置において、前記色加筆領域と他の色加筆領域との関係は、前記色加筆領域と他の色加筆領域との連結関係又は包含関係の少なくとも一方を含むことを特徴とする。
【０００８】
また、請求項５に記載の発明は、請求項４に記載の画像処理装置において、前記判定手段は、前記色加筆領域と他の色加筆領域とが連結されている場合に、当該各色加筆領域に基づいて設定される各回答読み取り領域を同じ質問に対する回答であると判定することを特徴とする。
【０００９】
また、請求項６に記載の発明は、請求項４に記載の画像処理装置において、前記判定手段は、１の色加筆領域に複数の色加筆領域が包含されている場合に、当該複数の色加筆領域に基づいて設定される各回答読み取り領域を同じ質問に対する回答であると判定することを特徴とする。
【００１０】
また、請求項７に記載の発明は、請求項１乃至６のいずれかに記載の画像処理装置において、前記判定手段は、複数の色加筆領域が予め定められた距離内にある場合に、当該複数の色加筆領域に基づいて設定される各回答読み取り領域を同じ質問に対する回答であると判定することを特徴とする。
【００１１】
また、請求項８に記載の発明は、請求項１乃至７のいずれかに記載の画像処理装置において、前記設定手段は、前記色加筆領域と少なくとも一部が重なる連結画素群に基づく領域を前記文書の回答読み取り領域に設定することを特徴とする。
【００１２】
また、請求項９に記載の発明は、請求項１乃至８のいずれかに記載の画像処理装置において、前記１又は複数の質問及び当該各質問に対する回答欄に回答が記入された回答文書を取得する回答文書取得手段と、前記設定手段により設定された回答読み取り領域、及び前記判定手段により判定された当該回答読み取り領域から得られる回答の種類に基づいて、前記回答文書取得手段により取得された回答文書から、前記各質問に対する回答情報を取得する回答情報取得手段と、をさらに含むことを特徴とする。
【００１３】
また、請求項１０に記載の発明は、請求項９に記載の画像処理装置において、前記回答文書取得手段は、１又は複数の回答文書を取得し、前記回答情報取得手段は、前記各回答文書について回答情報を取得し、前記回答情報取得手段により取得した回答情報に基づいて回答結果を生成する手段をさらに含むことを特徴とする。
【００１４】
また、請求項１１に記載の発明は、請求項１乃至１０のいずれかに記載の画像処理装置において、前記設定手段により設定された回答読み取り領域を、当該回答読み取り領域の識別情報と共に表した画像を生成する手段をさらに含むことを特徴とする。
【００１５】
また、請求項１２に記載のプログラムの発明は、予め定められた１又は複数の質問及び当該各質問に対する回答欄と、１又は複数の色を用いて加筆された色加筆領域とを含む文書を取得する取得手段と、前記取得手段により取得された文書に含まれる色加筆領域に基づいて、前記文書の回答読み取り領域を設定する設定手段と、前記設定手段により設定される回答読み取り領域から得られる回答の種類を、当該回答読み取り領域に応じた色加筆領域の色、又は当該色加筆領域と他の色加筆領域との関係、又はこれらの組み合わせに応じて判定する判定手段としてコンピュータを機能させることを特徴とする。
【発明の効果】
【００１６】
請求項１に記載の発明によれば、本構成を有さない場合に比べて、文書に回答読み取り領域とその回答読み取り領域から読み取られる回答の種類とを容易に設定できる。
【００１７】
請求項２に記載の発明によれば、回答読み取り領域から読み取られる回答が選択式回答か記入式回答かを判定できる。
【００１８】
請求項３に記載の発明によれば、色により回答の種類を判定できる。
【００１９】
請求項４に記載の発明によれば、色加筆領域同士の関係付けにより回答の種類を判定できる。
【００２０】
請求項５に記載の発明によれば、色加筆領域同士の連結関係に基づいて同じ質問に対する回答を１つのグループに判定できる。
【００２１】
請求項６に記載の発明によれば、色加筆領域同士の包含関係に基づいて同じ質問に対する回答を１つのグループに判定できる。
【００２２】
請求項７に記載の発明によれば、色加筆領域同士の距離に基づいて同じ質問に対する回答を１つのグループに判定できる。
【００２３】
請求項８に記載の発明によれば、精度良く回答領域を設定できる。
【００２４】
請求項９に記載の発明によれば、特定した回答領域及び回答の種類に基づいて、回答文書から回答情報を取得できる。
【００２５】
請求項１０に記載の発明によれば、１又は複数の回答文書から得られた回答情報に基づいた回答結果を得ることができる。
【００２６】
請求項１１に記載の発明によれば、回答領域がどの回答欄に対応するのかを確認できる。
【００２７】
請求項１２に記載の発明によれば、本構成を有さない場合に比べて、文書に回答読み取り領域とその回答読み取り領域から読み取られる回答の種類とを容易に設定するようにコンピュータを機能できる。
【発明を実施するための最良の形態】
【００２８】
以下、本発明を実施するための好適な実施の形態（以下、実施形態という）を、図面に従って説明する。
【００２９】
図１には、本実施形態に係る画像処理装置１０の機能ブロック図を示す。図１に示されるように、画像処理装置１０は、画像取得部１２、画像整形部１４、記憶部１６、色加筆領域抽出部１８、回答種類判定部２０、回答領域設定部２２、差分抽出部２４、回答情報取得部２６、回答結果集計部２８、及び表示部３０を含む。上記各部の機能は、ＣＰＵ等の制御手段、メモリ等の記憶手段、スキャナ、ディスプレイ等のデバイスとデータを送受信する入出力手段を備えたコンピュータが、コンピュータ読み取り可能な情報記憶媒体に格納されたプログラムを読み込み実行することで実現されるものとしてよい。なお、プログラムは情報記憶媒体によってコンピュータたる画像処理装置１０に供給されることとしてもよいし、インターネット等のデータ通信ネットワークを介して供給されることとしてもよい。
【００３０】
本実施形態に係る画像処理装置１０は、１又は複数の質問と、その各質問に対する回答欄を含むアンケート用紙について、回答者により記入された回答を機械的に取得する処理を実行するものであり、この処理を実現するために本画像処理装置１０に備えられた上記各部の機能の詳細を以下に説明する。
【００３１】
画像取得部１２は、紙文書の画像データを取得するものであり、シリアルインターフェース等を介して接続されたスキャナにより紙文書を読み取って画像データを取得することとしてよい。本実施形態では、画像取得部１２は、処理対象たるアンケート用紙の画像データを取得するものであり、具体的には、回答が未記入の白紙のアンケート用紙と、白紙のアンケート用紙にマーカにより回答領域を指定した領域指定用アンケート用紙と、回答者により回答が記入された回答用紙との３種類の画像を取得する。回答用紙は１枚でもよいし複数枚あることとしてもよい。各用紙の画像は、連続して取り込んだ後に分割してもよいし、１つずつ取り込んでもよい。以下、各用紙について具体例を用いて説明する。
【００３２】
図２Ａには、本実施形態において用いられる（白紙の）アンケート用紙の一例を示す。図２Ａに示されるように、アンケート用紙は、複数の質問とそれに対する回答欄とを含み、質問には複数の種類があり、その中には選択式の質問、定型の記入式の質問、自由記入式の質問が含まれる。選択式の質問とは、図２Ａの第１の質問のように複数の選択肢の中から１又は複数の回答を選択する型の質問であり、定型の記入式の質問とは、図２Ａの第２の質問のように年齢や名前等の予め定められた内容が記入される質問であり、自由記入式の質問とは、図２Ａの第３の質問のように感想等の回答内容が回答者により自由に決定される質問である。
【００３３】
図２Ｂには、アンケート用紙に予め定められた１又は複数色のマーカや色鉛筆、カラーマジックに代表されるような色ペン（以下、マーカと称す）により各質問をそれぞれ囲む等して加筆して、回答領域を指定した領域指定用アンケート用紙の一例を示した。本実施形態においては、印刷されたアンケート用紙にマーカ等により加筆することとしたが、これに限られるものではなく、例えば、アンケート用紙の文書データに対して編集を加えて色加筆部分を形成することとしても構わない。領域指定用アンケート用紙は、回答領域の位置と、その回答領域から得られる回答の種類とを設定する処理に用いられるものである。回答の種類とは、上述した質問の種類に対応するものであり、選択式の回答、定型の記入式の回答、自由記入式の回答等の種類を含むものである。このように、本実施形態においては、各質問に対する回答欄について、予め定められた色のマーカを用いて回答欄の読み取り領域を指定し、色、又は色で指定した領域の連結、包含、距離、形状等、又はこれらの組み合わせにより指定された回答欄の読み取り領域について当該回答欄の回答の種類に応じた処理を施して情報を得ることとしている。
【００３４】
例えば、図２Ｂに示された例において、回答の種類毎に異なる色をそれぞれ定めておき、第１乃至第３の各質問の回答欄をそれぞれの種類に応じた色で加筆しておくことで、アンケート用紙に回答読み取り領域とその回答読み取り領域から読み取られる回答の種類とが設定される。この回答欄の読み取り領域の設定処理の詳細に関しては後述する。
【００３５】
図２Ｃには、アンケート用紙に対して回答が記入された回答用紙の一例を示す。回答用紙に対しては、白紙のアンケート用紙からの差分により加筆部分を抽出し、抽出した加筆部分を、上記領域指定用アンケート用紙に基づいて設定された回答領域及びその回答種類に基づいて処理することで、回答用紙に記入された回答情報が得られる。この回答情報を取得する処理の詳細についても後述する。
【００３６】
画像整形部１４は、画像取得部１２により取得された画像の傾き補正や正立処理を行う。こうして、各画像から差分データが精度良く得られるようにする。
【００３７】
記憶部１６は、半導体メモリや磁気ディスク等の記憶装置を含み構成され、データやプログラムを記憶するものであり、各部による処理のワークメモリとしても用いられる。本実施形態では、記憶部１６には、画像整形部１４により処理された画像データや、後述するマーカの色等に回答の種類を関連づけた回答領域設定ルール情報、領域指定用アンケート用紙に基づいて設定された回答領域設定データ、回答が記入された回答用紙から得られる回答データ、得られた回答を集計した集計データ等の各種データ、及び各部の機能を実現する各種プログラム等が記憶されるものである。
【００３８】
図３には、回答領域設定ルール情報の一例を示した。図３に示された回答領域設定ルール情報の例では、色に関連づけて、アンケートの回答の種類と、その色で指定された領域について行われる処理が格納されている。図３に示された例においては、「青系」の色で指定された領域は「選択式回答」を表し、その領域については「記入の有無の判定」を処理として行い、「緑系」の色で指定された領域は「定型の記入式回答」を表し、その領域については「ＯＣＲ」を処理として行い、「赤系」の色で指定された領域は「自由記入式の回答」を表し、その領域については「画像の切り出し」を処理として行うこととしている。
【００３９】
もちろん図３に示した回答領域設定ルール情報は一例であり、マーカにより指定する領域の形状や指定する領域同士の関係により回答の種類を指定することとしてもよい。例えば、領域の形状で回答の種類を指定する場合には、円、四角等の形状毎に回答の種類を予め定めておくこととしてもよい。そして、領域同士の関係により回答の種類を指定する場合には、接続した領域同士を同じ質問の選択肢とするように定めておいてもよいし、同じ色加筆領域により囲まれた領域同士を同じ質問の選択肢とするように定めておいてもよい。このように、マーカによる回答の種類の指定方法は、上記態様に限られず他の態様を用いてもよい。
【００４０】
色加筆領域抽出部１８は、画像整形部１４により処理された白紙のアンケート画像と、領域指定用アンケート画像とに基づいて、領域指定用アンケート画像においてマーカにより加筆された色加筆領域を抽出する。色加筆領域抽出部１８は、白紙のアンケート画像に対する領域指定用アンケート画像の差分画像を生成し、予め定められた色でないノイズを除去することで得てもよいし、領域指定用アンケート画像から予め定められた色部分を特定することで色加筆領域を得ることとしてもよい。
【００４１】
回答種類判定部２０は、色加筆領域抽出部１８により抽出された各色加筆領域について、その色加筆領域に対応する回答の種類を判定する。回答種類判定部２０は、回答領域設定ルール情報を参照して、色加筆領域の回答の種類を判定する。回答種類判定部２０は、回答の種類が色に関連づけられている場合には、色加筆領域の色を特定し、特定した色に応じた回答の種類を判定結果とする。また、回答種類判定部２０は、連結した色加筆領域が選択式回答領域とされている場合には、閉じた色加筆領域同士の連結判定をさらに行うこととしてよい。また、回答種類判定部２０は、１の色加筆領域の内部に１又は複数の色加筆領域が含まれる場合に、内部の色加筆領域を同じ選択肢グループに属することとしている時には、色加筆領域の内部に色加筆領域を探索する処理をさらに行うこととしてよい。さらに、回答種類判定部２０は、複数の色加筆領域間の距離が予め定められた距離内にある場合に同じ選択肢グループに属することとしている時には、各色加筆領域間の距離の算出と、当該算出された距離の閾値判定を行うこととしてよい。
【００４２】
回答領域設定部２２は、色加筆領域抽出部１８により抽出された色加筆領域に基づいて回答領域を設定するとともに、当該設定された回答領域と回答種類判定部２０により判定された回答の種類とを関連づけて回答領域設定データを設定する。以下、回答領域の設定処理の一例を、具体例を用いて説明する。
【００４３】
図４Ａには、回答領域設定部２２により設定される記入式回答領域の一例を示した。図４Ａ（ａ）に示されるように、回答領域設定部２２は、記入式回答領域については、色加筆領域４０に近接する矩形領域４２等があればその矩形領域４２を回答領域に設定することとしてもよいし、図４Ａ（ｂ）に示されるように、色加筆領域４０の外接矩形４４を回答領域に設定することとしてもよい。例えば、色加筆領域４０に近接する矩形領域４２を回答領域に設定する場合には、予めアンケート用紙についてレイアウト解析を行っておき、解析されたレイアウトに基づいて回答領域を設定することとしてもよい。
【００４４】
以下、図４Ｂ乃至図４Ｄを参照しながら、各種指定方法により指定された選択式回答領域についての回答領域の設定処理を説明する。
【００４５】
図４Ｂには、マーカにより加筆された領域と、当該領域に基づいて設定される選択式回答領域の一例を示した。図４Ｂ（ａ）に示されるように、各選択肢をマーカにより線引くとともに、同一グループの選択肢を含むようにマーカで囲むことにより指定した場合には、以下のようにして回答領域を設定する。まず、回答領域設定部２２は、色領域と文字領域をそれぞれ抽出してラベリングを行い、色領域が閉領域であると判定すると、閉領域の内部に含まれる文字領域ラベルを取得し、取得された文字領域ラベルを同じ選択肢グループとして設定する。ここで、各選択肢の回答領域は、図４Ｂ（ｂ）に示されるように、閉領域の内部で各文字領域の範囲を閉領域に接するまで拡大することにより設定することとしてよい。
【００４６】
図４Ｃには、マーカにより加筆された領域と、当該領域に基づいて設定される選択式回答領域の一例を示した。図４Ｃ（ａ）に示されるように、複数の選択肢をマーカにより一体として線引くことにより指定した場合には、以下のようにして回答領域を設定する。まず、回答領域設定部２２は、色領域と文字領域をそれぞれ抽出してラベリングを行い、色領域と重なる文字列画像を取得する。次に、回答領域設定部２２は、取得した文字列画像を文字認識処理して文字列を得て、この文字列の中に予め定められた区切り文字（「・」，「／」，「空白」，「ｏｒ」等）が含まれていると判断すると、図４Ｃ（ｂ）に示されるように、その区切り文字に基づいて選択肢となる文字列を設定し、図４Ｃ（ｃ）に示されるように設定した各文字列に対応した領域を選択式回答領域として設定する。各選択肢の回答領域は、各文字列を予め定められたサイズだけ拡大することにより設定することとしてよい。
【００４７】
図４Ｄには、マーカにより加筆された領域と、当該領域に基づいて設定される選択式回答領域の一例を示した。図４Ｄ（ａ）に示されるように、複数の選択肢をそれぞれ個別にマーカで囲むととともに各加筆領域を接続して指定した場合には、以下のようにして回答領域を設定する。まず、回答領域設定部２２は、色領域を抽出し二値化してラベリングを行い、ラベリング領域の背景を塗りつぶした後に、塗りつぶされていない領域をラベリングし、このラベリングにより得られた領域が複数ならば選択肢グループとして設定する。そして、回答領域設定部２２は、図４Ｄ（ｂ）に示されるように、各選択肢の閉領域の外接矩形を取得し、各外接矩形を隣接する領域同士がぶつかるまで拡大して、各選択肢の回答領域を設定する。
【００４８】
次に、上記設定した選択肢グループにおける、各選択式回答領域の順序付け処理を具体例を用いて説明する。図５Ａに示されるように、選択肢グループに複数の選択式回答領域が存在する場合に、回答領域設定部２２は、各選択式回答領域をＯＮ画素として、横ライン（行）方向に画素の論理和を算出する。ここでの論理和とは、ＯＮ画素が１つでもあればＯＮ、１つもなければＯＦＦとする演算である。そして、回答領域設定部２２は、縦ライン（列）において算出した論理和の値が連続する範囲を特定し、特定した範囲内で、横ライン方向に探索される選択式回答領域に順番に領域の識別子を付与する。例えば、図５Ａに示された例では、回答領域設定部２２は、第１範囲と第２範囲を特定し、そして第１範囲内に含まれる選択式回答領域に左から右に領域の識別子（Ａ１，Ａ２，Ａ３）を付与し、次に第２範囲内に含まれる選択式回答領域に同様に識別子（Ａ４，Ａ５，Ａ６）を付与する。
【００４９】
また、選択式回答領域への識別子の付与方法は上述した方法に限られるものではなく、以下のように指定してもよい。図５Ｂには、領域の識別子の付与順序の指定方法の一例を示した。図５Ｂ（ａ）に示すように、選択式回答領域をマーカにより領域順序順に接続することとしてよい。この場合には、左上に位置する選択式回答領域から順に接続路に沿って選択式回答領域に識別子を付与する。この際、接続路のマーカは選択式回答領域を指定したマーカの色とは異なる色を用いることとしてよい。
【００５０】
また、図５Ｂ（ｂ）に示すように、一部の選択式回答領域をマーカで囲むことにより、選択式回答領域をサブグループにさらにまとめることとしてよい。このようにすることで、同一の選択肢グループに属する選択式回答領域をさらに階層化することとしてもよい。図５Ｂ（ｂ）に示された例では、上部のサブグループに識別子Ａ１−１，Ａ１−２，Ａ１−３が付与され、下部のサブグループに識別子Ａ２−１，Ａ２−２，Ａ２−３が付与される。なお、上記の例では、選択式回答領域のグループ化について説明したが、同様の処理を記入式回答領域のグループ化について用いてもよいのはもちろんである。
【００５１】
回答領域設定部２２は、以上設定した回答領域に基づいて、アンケート用紙の回答領域設定データを生成する。図６には、回答領域設定データの一例を示す。図６に示される例では、回答領域設定データは、回答領域の識別子に、回答領域の座標範囲と、回答の種類を関連づけて格納したテーブルとして構成される。図６に示した例においては、Ａ１〜Ａｎは同一の選択肢グループＧ１に属し、Ｂ１はＯＣＲにより情報を取得する記入式回答領域であり、Ｃ１は画像切り出しにより情報を取得する記入式回答であることとする。
【００５２】
次に、回答者により回答が記入された回答文書から回答情報を取得する処理に関する機能ブロックの詳細について説明する。
【００５３】
差分抽出部２４は、画像整形部１４により処理されたアンケート用紙画像と回答用紙画像との差分画像を抽出する。差分抽出部２４により抽出された差分画像は、回答者による追記部分を表している。
【００５４】
回答情報取得部２６は、回答領域設定部２２により設定された回答領域設定データに基づいて、差分抽出部２４により抽出された差分画像に対して処理を行い回答情報を取得する。具体的には、回答情報取得部２６は、回答領域設定データに格納された回答領域の１つを選択し、当該選択した回答領域の座標範囲に対応する差分画像の領域を特定するとともに、当該特定した領域について上記選択した回答領域に定められた回答の種類に応じた処理を行い回答情報を取得する。より具体的には、回答の種類が選択式回答である場合には、上記特定した領域に差分画像のＯＮ画素が含まれていればこの選択式回答領域が選択されたものと判断して回答情報を取得する。この際、選択式回答領域の選択判定においては、一定量以上のＯＮ画素を含む等の条件を設けてもよい。そして、回答の種類がＯＣＲを行う記入式である場合には、差分画像について特定した領域のＯＮ画素群について文字認識処理により文字を認識し、回答の種類が画像抽出を行う記入式である場合には、差分画像について特定した領域を画像として抽出して取得する。回答情報取得部２６は、以上の処理を全ての回答領域について行い、回答用紙からの回答情報を取得する。また、回答用紙が複数ある場合には、回答用紙を１つずつ選択して順次処理を行うこととしてよい。
【００５５】
図７Ａには、回答情報取得部２６により取得された回答情報テーブルの一例を示した。図７Ａに示した回答情報テーブルの例においては、回答領域の識別子に関連づけて回答情報が格納される。回答領域が選択式回答領域の場合には、「Ｔ」（Ｔｒｕｅ：真）が選択、「Ｆ」（Ｆａｌｓｅ：偽）が非選択を示し、ＯＣＲを行う記入式回答領域の場合には、文字認識により得られた文字列が格納され、画像抽出を行う記入式回答領域の場合には、抽出されたイメージデータが格納される。イメージデータとしてはイメージデータのパスを格納することとしてもよい。
【００５６】
回答結果集計部２８は、回答情報取得部２６によりそれぞれ取得された回答情報テーブルに基づいて、処理した全ての回答用紙から得られた回答情報を集計する。例えば、回答結果集計部２８は、選択式回答領域については、「Ｔ」の数を累積した値を用いて、アンケート結果を得ることとしてよい。
【００５７】
図７Ｂには、回答結果集計部２８により集計された回答結果集計テーブルの一例を示した。図７Ｂ（ａ）には、各回答用紙について得られた選択肢、文字入力、自由記入の情報を格納したテーブルを示す。もちろん、回答結果の集計としては上記の態様に限られるものではなく、例えば、図７Ｂ（ｂ）に示したように、全ての回答情報に基づいて、選択式回答領域の選択回数を算出したデータを生成してもよい。
【００５８】
表示部３０は、ディスプレイを含み、回答結果集計部２８により集計された回答結果をディスプレイに表示する。また、画像処理装置１０は、上記回答結果と共に、アンケート用紙に回答領域とその回答領域の識別子（例えばＡ１，Ａ２等）を記した画像を生成し、表示部３０に表示することとしてもよい。上記生成された画像を用いることにより、回答欄と回答結果との対応付けが容易となる。
【００５９】
次に、画像処理装置１０により領域指定用アンケート用紙を用いて行われる回答領域設定処理と、回答が記入された回答用紙から回答情報を取得する回答情報取得処理とのそれぞれの流れを、図８Ａ、図８Ｂを参照しながら説明する。
【００６０】
図８Ａには、回答領域設定処理のフローチャートを示した。図８Ａに示されるように、画像処理装置１０は、白紙のアンケート用紙と、マーカにより追記された領域指定用アンケート用紙とを読み取り（Ｓ１０１）、また、読み取った画像を整形して（Ｓ１０２）、アンケート用紙の画像データと、領域指定用アンケート用紙の画像データとを得る。次に、画像処理装置１０は、アンケート用紙の画像データと領域指定用アンケート用紙の画像データとから差分画像を抽出し（Ｓ１０３）、抽出した差分画像に含まれる加筆領域（画素群）の各々について、当該加筆領域の色、又は他の加筆領域との関係、又はこれらの組み合わせに基づいて加筆領域が示す回答の種類を判定するとともに（Ｓ１０４）、各加筆領域に基づいて回答領域を設定する（Ｓ１０５）。画像処理装置１０は、上記設定した各回答領域について、座標範囲と、回答の種類の情報とを対応付けた回答領域データを生成して記憶し（Ｓ１０６）、回答領域設定処理を終了する。
【００６１】
図８Ｂには、回答情報取得処理のフローチャートを示した。図８Ｂに示されるように、画像処理装置１０は、１又は複数の回答用紙を読み取り（Ｓ２０１）、読み取った回答用紙のうち未処理の回答用紙を１つ選択する（Ｓ２０２）。画像処理装置１０は、選択された回答用紙と、アンケート用紙との差分を抽出することにより、回答用紙に記入された追記画像を取得する（Ｓ２０３）。画像処理装置１０は、回答領域設定処理において生成された回答領域データを参照し（Ｓ２０４）、当該回答領域データに格納された各回答領域につき、当該回答領域の座標範囲及び回答の種類に基づいて、取得した追記画像から回答情報を取得する（Ｓ２０５）。画像処理装置１０は、取得した回答情報を回答領域に対応付けた回答情報テーブルを生成し記憶する（Ｓ２０６）。次に、画像処理装置１０は、未処理の回答用紙があるか否かを判断し（Ｓ２０７）、「ある」と判断する場合には（Ｓ２０７：Ｙ）、Ｓ２０２に戻りそれ以降の処理を繰り返し、「ない」と判断する場合には（Ｓ２０７：Ｎ）、以上生成した各回答情報テーブルに基づいて回答情報を集計し（Ｓ２０８）、集計された結果をディスプレイに表示して（Ｓ２０９）、処理を終了する。
【００６２】
本発明は上記の実施形態に限定されるものではなく、例えば、上記の実施形態においては未追記のアンケート用紙を用いているが、これを用いなくともよい。この場合には、マーカにより領域指定された領域指定用アンケート用紙から、予め定められたマーカ色を除去して未追記のアンケート用紙を生成することとしてよい。なお、生成した未追記のアンケート用紙を用いて行う処理については上記の実施形態と同様の処理としてよい。
【図面の簡単な説明】
【００６３】
【図１】画像処理装置の機能ブロック図である。
【図２Ａ】アンケート用紙の一例を示す図である。
【図２Ｂ】領域指定用のアンケート用紙の一例を示す図である。
【図２Ｃ】回答用紙の一例を示す図である。
【図３】回答領域設定ルール情報の一例を示す図である。
【図４Ａ】記入式回答領域の一例を示す図である。
【図４Ｂ】選択式回答領域の一例を示す図である。
【図４Ｃ】選択式回答領域の一例を示す図である。
【図４Ｄ】選択式回答領域の一例を示す図である。
【図５Ａ】選択式回答領域への識別子の付与を説明する図である。
【図５Ｂ】選択式回答領域への識別子の付与を説明する図である。
【図６】回答領域設定データの一例を示す図である。
【図７Ａ】回答情報テーブルの一例を示す図である。
【図７Ｂ】回答結果集計データの一例を示す図である。
【図８Ａ】回答領域設定処理のフローチャートである。
【図８Ｂ】回答情報取得処理のフローチャートである。
【符号の説明】
【００６４】
１０  画像処理装置、１２  画像取得部、１４  画像整形部、１６  記憶部、１８  色加筆領域抽出部、２０  回答種類判定部、２２  回答領域設定部、２４  差分抽出部、２６  回答情報取得部、２８  回答結果集計部、３０  表示部、４０  色加筆領域、４２  矩形領域、４４  外接矩形。
【図１】
2010122911.tif 000003
【図２Ａ】
2010122911.tif 000004
【図２Ｂ】
2010122911.tif 000005
【図２Ｃ】
2010122911.tif 000006
【図３】
2010122911.tif 000007
【図４Ａ】
2010122911.tif 000008
【図４Ｂ】
2010122911.tif 000009
【図４Ｃ】
2010122911.tif 000010
【図４Ｄ】
2010122911.tif 000011
【図５Ａ】
2010122911.tif 000012
【図５Ｂ】
2010122911.tif 000013
【図６】
2010122911.tif 000014
【図７Ａ】
2010122911.tif 000015
【図７Ｂ】
2010122911.tif 000016
【図８Ａ】
2010122911.tif 000017
【図８Ｂ】
2010122911.tif 000018